(57)【要約】【課題】被取付体の厚さに応じて、簡単に高さ調整でき、腕体をほぼ水平に保つことができる物掛け具を提供する。【解決手段】引掛部２１を先端湾曲部２２またはその近傍に有する腕体２と；開口６を設けた上板部１３とこの上板部１３の前縁から垂下した前板部１２とを備え、前板部１２の裏面には突起部１０が設けられ、さらに前板部１２の両側面部にそれぞれ前記腕体が摺動自在に挿通する貫通孔１１が設けられた支持体１と；この支持体１の開口６から挿入され、上部に被取付体の上面に係止させるための係止板１４を有し、さらに前記支持体１の突起部１０が嵌入する複数の嵌入孔７を設けた高さ調整板４と；被取付体の下面に当接する当接部３２，３３が上下に設けられ、かつ前記腕体２の後端部が着脱自在に嵌入される孔３１が両側部に設けられており、腕体後端部の嵌入状態において腕体２の中心から両当接部３２，３３の各表面への距離が異なる受具３とを備える。【選択図】図１
2013236766.tif 000002
【特許請求の範囲】
【請求項１】
被引掛物を吊るすための引掛部を先端湾曲部またはその近傍に有するＵ字形の腕体と、
開口を設けた上板部とこの上板部の前縁から垂下した前板部とを備え、前板部の裏面には突起部が設けられ、さらに前板部の両側面部にそれぞれ前記Ｕ字形の腕体が摺動自在に挿通する貫通孔が設けられた支持体と、
この支持体の上板部に設けた開口から挿入され、上部に被取付体の上面に係止させるための係止板を有し、さらに前記支持体の突起部が嵌入する複数の嵌入孔を高さ方向に沿って所定間隔で設けた高さ調整板と、
被取付体の下面に当接する当接部が上下に設けられ、かつ前記腕体の後端部が着脱自在に嵌入される孔が両側部に設けられており、腕体後端部の嵌入状態において腕体の中心から両当接部の各表面への距離が異なっている受具とを備えた、
ことを特徴とする物掛け具。
【請求項２】
前記高さ調整板の係止板に、被取付体の上面に食い込む爪を設けた請求項１に記載の物掛け具。
【請求項３】
前記支持体に設けた突起部が、前板部の横方向に長く延びる直方体状であり、前記高さ調整板に設けた複数の嵌入孔がいずれも前記直方体状の突起部が嵌入する大きさを有する長孔である請求項１又は２に記載の物掛け具。
【発明の詳細な説明】
【技術分野】
【０００１】
本発明は、窓枠やドア枠の上枠、鴨居、さらに戸棚、書棚等の天板部等の被取付体に取り付けて、主に、洗濯物を掛けたハンガー等を吊下げて物干として使用可能な物掛け具に関する。
【背景技術】
【０００２】
従来より、この種の物掛け具としては、例えば特許文献１のようなものが提案されている。特許文献１の物掛け具において、取付可能な被取付体の厚さは、支持体の上板部下面と、受孔に挿通した腕体の当接部上面との間の距離によって決まるため、特許文献１では回動可能な受具に回動中心からの距離が異なる複数の当接面を設け、これを回転させ適切な当接面を上にして前記した距離を調整している。
【０００３】
しかしながら、上記従来技術においては、種々の異なる厚みを有する前記被取付体に取り付ける際、腕体を水平にするためには、当接面を回転して行う調整だけでなく、腕体を挿通させるために支持体の高さ方向に沿って設けた複数の受孔から適切な受孔を選択して高さ調整を行う必要があり、そのために高さ調整の度ごとに腕体を受孔から取り外さなければならず、作業が煩雑になるという問題点があった。
【先行技術文献】
【特許文献】
【０００４】
【特許文献１】特許第４３４９５６４号公報
【発明の概要】
【発明が解決しようとする課題】
【０００５】
本発明の課題は、被取付体の厚さに応じて、簡単に高さ調整でき、腕体をほぼ水平に保つことができる物掛け具を提供することである。
【課題を解決するための手段】
【０００６】
本発明者らは、上記課題を解決すべく鋭意検討した結果、本発明を完成するに至った。すなわち、本発明は、以下の構成からなる。
（１）被引掛物を吊るすための引掛部を先端湾曲部またはその近傍に有するＵ字形の腕体と、開口を設けた上板部とこの上板部の前縁から垂下した前板部とを備え、前板部の裏面には突起部が設けられ、さらに前板部の両側面部にそれぞれ前記Ｕ字形の腕体が摺動自在に挿通する貫通孔が設けられた支持体と、この支持体の上板部に設けた開口から挿入され、上部に被取付体の上面に係止させるための係止板を有し、さらに前記支持体の突起部が嵌入する複数の嵌入孔を高さ方向に沿って所定間隔で設けた高さ調整板と、被取付体の下面に当接する当接部が上下に設けられ、かつ前記腕体の後端部が着脱自在に嵌入される孔が両側部に設けられており、腕体後端部の嵌入状態において腕体の中心から両当接部の各表面への距離が異なっている受具とを備えた、ことを特徴とする物掛け具。
（２）前記高さ調整板の係止板に、被取付体の上面に食い込む爪を設けた（１）に記載の物掛け具。
（３）前記支持体に設けた突起部が、前板部の横方向に長く延びる直方体状であり、前記高さ調整板に設けた複数の嵌入孔がいずれも前記直方体状の突起部が嵌入する大きさを有する長孔である（１）又は（２）に記載の物掛け具。
【発明の効果】
【０００７】
本発明によれば、支持体の突起部を高さ調整板に設けられた孔を嵌めこむことで、被取付体の上面が高さ調整板上部にて係止可能であれば、被取付体の厚みにかかわらず取り付けることができ、腕体の後端部の受具を使用することによって細かな高さの調整も可能である。
【図面の簡単な説明】
【０００８】
【図１】（ａ）および（ｂ）は本発明の一実施形態に係る物掛け具を示す斜視図である。
【図２】（ａ）、（ｂ）は本発明に係る物掛け具の支持体を示す斜視図、（ｃ）は（ｂ）のＩ−Ｉ線断面図である
【図３】本発明に係る物掛け具の高さ調整板を示す斜視図である。
【図４】（ａ）、（ｂ）は本発明に係る物掛け具の受具を示す斜視図、（ｃ）はその正面図である。
【図５】（ａ）、（ｂ）は本発明の使用状態を示す側面図である。
【図６】（ａ）、（ｂ）は本発明の物掛け具の高さ調整方法を示す断面図である。
【図７】（ａ）および（ｂ）は本発明の第二の実施形態に係る物掛け具を示す斜視図である。
【図８】（ａ）、（ｂ）は本発明の第二の実施形態に係る物掛け具の支持体を示す斜視図、（ｃ）は（ｂ）のＩＩ−ＩＩ線断面図である
【図９】（ａ）は本発明の第二の実施形態に係る物掛け具の高さ調整板を示す斜視図であり、（ｂ）は別の実施形態の高さ調整板を示す斜視図である。
【図１０】（ａ）、（ｂ）は本発明の第二の実施形態に係る物掛け具の受具を示す斜視図、（ｃ）はその正面図である。
【発明を実施するための形態】
【０００９】
以下、本発明を実施するための形態について、図面を用いて詳細に説明する。
図１（ａ）、（ｂ）に示す物掛け具１０１は、腕体２と、支持体１と、高さ調整板４と、受具３とを備える。
腕体２は、洗濯物を掛けたハンガー等の被引掛物（図示せず）を吊るすための引掛部２１を、先端湾曲部２２またはその近傍に有するＵ字形の形状である。
支持体１は、開口６を設けた上板部１３と、この上板部１３の前縁から垂下した前板部１２とを備え、前板部１２の裏面には突起部１０が設けられ、さらに前板部１２の両側面部にそれぞれ前記Ｕ字形の腕体２が摺動自在に挿通する貫通孔１１が設けられている。
高さ調整板４は、前記支持体１の上板部１３に設けた開口６から挿入され、上部に被取付体の上面に係止させるための係止板１４を有し、さらに前記支持体１の突起部１０が嵌入する複数の嵌入孔７が高さ方向に沿って所定間隔で設けられている。
受具３は、被取付体の下面に当接する当接部３２，３３が上下に設けられ、かつ前記腕体の後端部が着脱自在に嵌入される孔３１が両側部に設けられており、腕体後端部の嵌入状態において腕体の中心から両当接部の各表面への距離が異なっている。
【００１０】
腕体２の径や材質は、支持体１に設けられた貫通孔１１を挿通し、受具３の孔３１に嵌入可能なものあれば特に限定されるものではなく、材質も金属、プラスチック、木材等があげられるが、特に金属であるのが好ましい。このような腕体２の後端部は、支持体１の貫通孔１１を挿通し、受具３の孔１４に取り外し自在に嵌入されている
【００１１】
腕体２の先端湾曲部２２は、１本の棒材をほぼ細長い矩形状に折曲するか、または複数の棒材を繋いでＵ字形の形状としたものである。
この腕体２の先端湾曲部２２またはその近傍には、物を引掛けることができるよう下向きに略半円状にした引掛部２１が形成されている。
【００１２】
支持体１は、図２（ａ）〜（ｃ）に示すように、左右に腕体２を摺動自在に挿通する貫通孔１１を持ち、上板部１３に開口６が設けられ、図２（ｃ）に示すＩ‐Ｉ線断面図のように、前板部１２の裏面に突起部１０が設けてあり、前板部１２の裏側は開口している。上板部１３や突起部１０は、支持体１の成形時に一体に形成されるか、あるいは支持体１に接着剤等で接合してもよい。突起部１０の形状は、高さ調整板４の嵌入孔７に嵌入できるものであれば特に限定はされず、図２に示すような円柱型の他にも多角柱形であってもよい。
また、支持体１の材質は特に限定されないが、例えば金属、プラスチック、木材等が挙げられる。
【００１３】
支持体１の貫通孔１１は腕体２の径と同じか小さいため、腕体２は貫通孔を摺動可能である。
腕体２が貫通孔１１を摺動自在に動くことにより、支持体１と受具３との間の距離を自在に調整でき、取り付ける被取付体の水平方向の長さにかかわらず取り付けが可能になる。
【００１４】
高さ調整板４は、図３に示すように、上部に被取付体の上面に係止させるための係止板１４を有し、さらに前記支持体１の突起部１０が嵌入する複数の嵌入孔７を高さ方向に沿って所定間隔で設けたものである。
この高さ調整板４の形状は、支持体１の上板部１３に設けた開口６から挿入できるものであれば特に限定されず、またその材質も被引掛物を吊るしても壊れない強度を持つものであれば特に限定されず、例えば金属、プラスチック等が挙げられる。
【００１５】
高さ調整板４に設けられた嵌入孔７は、高さ調整板４の高さ方向に沿って所定間隔で複数設けられており、この形状や数は、支持体１の突起部１０が嵌入するものであれば特に限定されず、円形や多角形状等であってもよい。
また、高さ調整板４の板の上部を一方向に折曲して形成されてある係止板１４は、被取付体の上面に係止させるためであり、係止板１４の先端には下方向に折曲した爪部８が設けてある。この爪部８は、被取付物の重みで被取付体に食い込んで、より強固な取り付けを可能とする。また、中央には釘孔９が設けられており、必要なら釘で被取付体に係止板１４を固定してもよい。
【００１６】
受具３は、図４（ａ）〜（ｃ）に示すように、被取付体の下面（以下、当接面ということがある）に当接する当接部３２，３３が上下に設けられ、かつ前記腕体２の後端部が着脱自在に嵌入される孔３１が両側部に設けられており、また図４（ｃ）に示すように、腕体後端部の嵌入状態において腕体の中心（孔３１の中心）から両当接部３２，３３の各表面への距離ｄ１、ｄ２が異なっている。
すなわち、受具３は、当接部３２，３３を被取付体の当接面の厚さに応じて適宜選択し、当接部３２，３３を入れ替えて用いることにより、支持体１の突起部１０と高さ調整板４の嵌入孔７により調整される高さに合わせ、当接面へ当接することができる。
【００１７】
本発明の実施形態に係る受具３は中空の立方体であるが、これは軽量化のためであり、特に形状は限定されるものではない。
【００１８】
受具３に設けられた上下の当接部３２，３３の形状や材質は特に限定されず、錐状、球体状、板状等が挙げられ、上下で異なる形状や材質を用いてもよい。例えば、当接部３２，３３の各表面に凹みをつけ、そこにゴム、スポンジ等の板状体を嵌入するか、布を貼付しておくと、被取付体の当接面に傷をつけにくくなる。
【００１９】
次に、図５および図６を用いて物掛け具１０１の使用方法を説明する。図５（ａ）に示すように、厚みが薄い被取付体Ｈに物掛け具１０１を取り付ける場合は、支持体１を高さ調整板４の上部に固定する。
【００２０】
一方、図５（ｂ）に示すような厚みのある被取付体Ｈ´に物掛け具１０１を取り付ける場合は、支持体１を高さ調整板４の下部に固定する。
【００２１】
支持体１の高さ調整は、図６（ａ）に示す固定状態、つまり突起部１０が嵌入孔７へ嵌入した状態から、図６（ｂ）に示された支持体１を前方（紙面の右側）に回動させ、突起部１０を嵌入孔７から抜き出し、その状態で高さ調整板４に沿ってスライドさせて行うことができる。
【００２２】
受具３は、被取付体Ｈ、Ｈ´の縦の厚みに応じて、当接部３２，３３のいずれかが上部になるように腕体２に嵌入すればよい。
【００２３】
また、取り付けた物掛け具１０１を被取付体ＨまたはＨ´から外す時は、図６（ｂ）に示すように支持体１の突起部１０を高さ調整板４の嵌入孔７より離脱させ、支持体１を高さ調整板４から引き上げれば、簡単に取り外すことができる。
【００２４】
次に、本発明に係る物掛け具の第二の実施形態について図７〜１０を用いて説明する。尚、図１〜６に示した部材と同じ部材には同一符号を付し、説明を省略する。
【００２５】
図７（ａ）、（ｂ）に示す物掛け具１０２において、腕体２´は、１本の棒材を矩形状に折曲するか、または複数の棒材を繋いで形成したものである。このような腕体２´の先端部２２０は、引掛部２１と同様に物を引掛けることができる。本発明におけるＵ字形の腕体とは、図７（ａ）、（ｂ）に示す形状の腕体２´をも含むものである。
【００２６】
図８（ａ）〜（ｃ）に示す支持体１´は、前板部１２の裏面に、前板部１２の横方向に長く延びる直方体状の突起部１００が設けられている。突起部１００は、支持体１´の成形時に一体に形成されるか、あるいは支持体１´に接着剤等で接合してもよい。
【００２７】
図９（ａ）、（ｂ）に示す高さ調整板４０、４０´は、いずれも前記支持体１´の突起部１００が嵌入する大きさを有する長孔である複数の嵌入孔７０を高さ調整板４０の高さ方向に沿って所定間隔で設けている。
【００２８】
図９（ａ）に示す高さ調整板４０は、前記と同様に係止板１４に爪部８を設けたものであり、一方、図９（ｂ）に示す、高さ調整板４０´は、広い面積の係止板１４０を有する。
【００２９】
受具３´は、図１０（ａ）〜（ｃ）に示すように、被取付体の下面に当接する当接部３４，３３が上下に設けられ、かつ前記腕体２´の後端部が着脱自在に嵌入される孔３１が両側部に設けられており、また図１０（ｃ）に示すように、腕体後端部の嵌入状態において腕体の中心（孔３１の中心）から両当接部３４，３３の各表面への距離ｄ１´、ｄ２´が異なっている。
すなわち、受具３´は、当接部３４，３３を被取付体の当接面の高さに応じて適宜選択し、当接部３４，３３を入れ替えて用いることにより、支持体１´の突起部１００と高さ調整板４０の嵌入孔７０により調整される高さに合わせ、当接面へ当接することができる。
【００３０】
なお、受具３´の当接部３４には、表面に滑り止めのため、ゴム、スポンジ、布等を縞状（筋状）に形成してある。当接部３３も同様に構成するのが好ましい。
【００３１】
物掛け具１０２を使用する際は、前述した物掛け具１０１と同様に使用すればよく、また支持体１´の高さ調整も同様である。
その他の構成は、第一の実施形態と同じである。
【符号の説明】
【００３２】
１、１´  支持体
２、２´  腕体
３、３´  受具
４、４０、４０´  高さ調整板
６  開口
７、７０  嵌入孔
８  爪部
９  釘孔
１０、１００  突起部
１１  貫通孔
１２  前板部
１３  上板部
１４、１４０  係止板
２１  引掛部
２２  先端湾曲部
３１  孔
３２、３３、３４  当接部
１０１、１０２  物掛け具
２２０  先端部
Ｈ、Ｈ´  被取付体
【図１】
2013236766.tif 000003
【図２】
2013236766.tif 000004
【図３】
2013236766.tif 000005
【図４】
2013236766.tif 000006
【図５】
2013236766.tif 000007
【図６】
2013236766.tif 000008
【図７】
2013236766.tif 000009
【図８】
2013236766.tif 000010
【図９】
2013236766.tif 000011
【図１０】
2013236766.tif 000012